(57)【要約】【課題】ゴルフ用打数計数装置を提供する。【解決手段】第１の回転盤１１上に打数を表す数字１１２を環状に配置し、第１の回転盤１１の周縁には各数字１１２に対応する位置に第１の位置決め体１１３を設け、該第１の回転盤１１上には円盤体１２を枢軸１１１の周りに回転可能に設置し、該円盤体上には他の数字１２２を環状に配置する。他の数字１２２近傍には第２の位置決め体１２３を設けると共に各数字１１２の列に対応する位置に孔部１２４が設ける。円盤体１２の周縁には相対する凸部１２５を設けて凸部１２５内側の他の第１の位置決め体１２５１に第１の回転盤１１周縁の第１の位置決め体１１３が嵌合される。円盤体１２上には第２の回転盤１３を回転可能に配置して円盤体１２上の他の数字１２２の列に対応する位置に他の孔部１３２を設けると共に、第２の回転盤１３には円盤体１２の第２の位置決め体１２３に対応する他の第２の位置決め体１３３を設ける。【選択図】図２
2008043753.tif 000002
【特許請求の範囲】
【請求項１】
第１の回転盤と円盤体とから構成され、
第1の回転盤は、枢軸を具えてその半径方向に間隔をおいて複数の数字を環状に配列して表示すると共に各数字の位置に対応する周縁に第１の位置決め体を突出して形成し、
該円盤体は、軸孔を設けて上記枢軸に嵌合して上記第１の回転盤に回転可能に配置し、
上記回転盤上の数字列に対応する位置にこれらの数字を露出する孔部を形成すると共にその周縁に相対する一対の凸部を形成して該凸部内側に上記の第１の位置決め体に嵌合する他の第1の位置決め体を設けた、
ことを特徴とする係数装置。
【請求項２】
上記円盤体上に更に第２の回転盤を配置し、
該第２の回転盤の軸孔から前記円盤体の軸孔を通る他の枢軸により第２の回転盤と円盤体を上記第１の回転盤に対してそれぞれ回転可能に配置し、
上記円盤体上の軸心に近い位置に他の数字を間隔をおいて環状に配列して表示すると共にこれらの他の数字列に近く、且つ対応する位置に第2の位置決め体を形成し、
前記第2の回転盤には上記円盤体上の他の数字列に対応する位置にこれらの数字を露出する他の孔部を設けると共に円盤体上の第2の位置決め体に対応する他の第2の位置決め体を少なくとも1以上設けたことを特徴とする請求項１記載の計数装置。
【請求項３】
前記第１の回転盤上の第2の位置決め体は凹部であり、これに対応する他の第2の位置決め体はこれに嵌合する凸部からなることを特徴とする請求項１記載の計数装置。
【請求項４】
前記計数装置は、ネクタイピンなどのロッド体に対応して磁性体を設けるか、または手袋などに取り付けるリベットなどの固定具を設けたことを特徴とする請求項１記載の計数装置。
【発明の詳細な説明】
【技術分野】
【０００１】
本発明は、計数装置の構造に関し、特に、ゴルフ中使用され、ピン体（例えば、ピン、ネクタイピン）上または手袋上に設置することができ、使用者は打球後に計数装置上の第１の回転盤および第２の回転盤を回転させることによって表示される数字から総打数またはパット数を記録することができる計数装置に関する。
【背景技術】
【０００２】
一般にゴルフ場には１８のホールが設けられ、競技も１８ホールで行われる。各ホールとも距離および難度が異なるので、打数も異なる。ゴルフは正式な競技も行われるが、一般的には娯楽および社交的なスポーツとして行われる。多くの競技者は自分の打数を鉛筆で紙に記録し、総打数を計算する必要があるので、ゴルフ場では競技者が打球後に記録カードおよび鉛筆をポケットから取り出し、打数を記録する様子が見られる。
【０００３】
また、初心者はしばしば自分の打数を忘れてしまうことがあり、それが原因でグループ内において争いが起こることがある。また、スコア装置を利用して記録する方法があるが、スコア装置は非常に大きいので使用上不便である。
【０００４】
上述の各方法は極めて不便であり、ポケットからスコアカードを取り出す動作は優雅でなく、特に競技者は通常手袋をつけているので、スコアカードおよび鉛筆を取り出しにくく、競技が中断するなどの短所がある。
【０００５】
上述の説明からも分かるように、現在広く採用されている打数を記録する方法は極めて不便であり、優雅でなく、争いが起こることもある。そこで本発明の重点は体積が小さく、操作が簡単でボールマーカーとしても使用できる計数装置を提供することにある。
【特許文献１】特開２００２−１７９３２号公報
【特許文献２】特開平１１−３１２２２６号公報
【発明の開示】
【発明が解決しようとする課題】
【０００６】
本発明の第１の目的は、使用者が打球後に計数装置の第１の回転盤および第２の回転盤を回転させて回転盤上に設けられた数字および他の数字を孔および他の孔から露出させて固定することによって総打数またはパット数を記録でき、紙に記録するときの欠点を解決できる計数装置を提供することにある。
本発明の第２の目的は、使用者の必要に応じて計数装置をネクタイピンのロッド体上、ピンのロッド体上または手袋上に設置でき、体積が小さく、操作が簡単で壊れにくく、ボールマーカーとしても使用可能で、使用場所の選択性に優れ、複数の用途を有する計数装置を提供することにある。
【課題を解決するための手段】
【０００７】
上述の課題を解決するために、請求項１の発明は、表面の枢軸から離れた位置に所定の間隔で複数の数字が環状に設けられ、各数字の位置に対応する周縁には第１の位置決め体がそれぞれ設けられる第１の回転盤と、第１の回転盤の枢軸に嵌設される軸孔が設けられ、表面の軸孔から離れた位置には第１の回転盤の各数字の位置に対応する孔部が設けられ、周縁の両側には凸部がそれぞれ設けられ、凸部内側の他の第１の位置決め体に第１の回転盤周縁の第１の位置決め体が嵌合される円盤体と、を備えることを特徴とする計数装置である。
【０００８】
請求項２の発明は、更に第２の回転盤を備え、他の枢軸が第２の回転盤の軸孔から円盤体の軸孔を通って第１の回転盤の枢軸上に嵌合され、円盤体表面の軸孔に近い位置には他の数字が所定の間隔で環状に設置され、各他の数字に近い位置には第２の位置決め体がそれぞれ設けられ、第２の回転盤表面の軸孔に近い位置には円盤体上の他の数字に対応する他の孔部が設けられ、第２の回転盤には円盤体の第２の位置決め体に対応する他の第２の位置決め体が少なくとも一つ設けられることを特徴とする請求項１記載の計数装置である。
【０００９】
請求項３の発明は、第１の回転盤の各数字間には凹部がそれぞれ設けられることを特徴とする請求項１記載の計数装置である。
【００１０】
請求項４の発明は、計数装置は、磁性体によってネクタイピンのロッド体またはピンのロッド体上に設置されたり、リベットによって手袋上に設置されたりすることを特徴とする請求項１記載の計数装置である。
【発明の効果】
【００１１】
１．第１の回転盤、円盤体および第２の回転盤が設けられ、使用者は打球後に第１の回転盤を回転させ、第１の位置決め体を円盤体および凸部内側の他の第１の位置決め体上に嵌合することによって、数字を孔部から露出させて総打数を記録することができ、更に、第２の回転盤の他の第２の位置決め体を円盤体の第２の位置決め体上に嵌合することによって他の数字を他の孔部から露出させてパット数の記録を行うことができるので、打数を完全に記録でき、紙および鉛筆で記録する場合に発生する各欠点を解決でき、押圧式計数装置を使用した場合の各ホールの打数を表示できない欠点を解決できる。
２．本発明の計数装置は使用者の必要に応じてネクタイピンのロッド体上、ピンのロッド体上または手袋上に設置でき、体積が小さく、操作が簡単で壊れにくく、ボールマーカーとしても使用可能で、設置場所の選択性に優れ複数の用途を有する。
【発明を実施するための最良の形態】
【００１２】
本発明の目的、特徴および効果を示す実施例を図に沿って詳細に説明する。
【００１３】
図１は、本発明の第１の実施例を示す立体分解図である。図に示すように、本発明の計数装置１は第１の回転盤１１を備え、第１の回転盤１１の枢軸１１１部分から半径方向に離れた表面には複数の数字１１２（１、２、・・・、１１、１２など）が所定の間隔で環状に設置され、第１の回転盤１１の周縁には各数字１１２に対応する位置に第１の位置決め体１１３がそれぞれ設けられる。また、第１の回転盤１１の枢軸１１１は円盤体１２の軸孔１２１に嵌設され、他の枢軸１４が枢動可能に設けられる。また、円盤体１２表面の軸孔１２１から半径方向に離れた位置には第１の回転盤１１上の各数字１１２に対応する孔部１２４が設けられ、円盤体１２の周縁の両側には凸部１２５がそれぞれ設けられ、凸部１２５内側の他の第１の位置決め体１２５１に第１の回転盤１１周縁の第１の位置決め体１１３が嵌合される。それによって第１の回転盤１１を回転させるだけで円盤体１２孔部１２４に使用者の総打数を記録することができる。
【００１４】
更に、第１の回転盤１１を円盤体１２の下で回転させるときの固定を容易にするために、第１の回転盤１１上の各数字１１２間には凹部１１４がそれぞれ設けられ、凹部１１４に円盤体１２上の第２の位置決め体１２３が嵌合される。
【００１５】
図２は、本発明の第２の実施例を示す立体分解図である。図３は図２を組立てた後の            
状態を示す斜視図である。図に示すように、第２の回転盤１３を備え、他の枢軸１４が第２の回転盤１３の軸孔１３１から円盤体１２の軸孔１２１を通って第１の回転盤１１の枢軸１１１上に嵌合される。円盤体１２表面の軸孔１２１に近い位置には他の数字１２２（０、２、・・・、４、５など）が所定の間隔で環状に設置され、各他の数字１２２に近い位置には第２の位置決め体１２３がそれぞれ設けられる。第２の回転盤１３表面の軸孔１３１に近い位置には円盤体１２上の他の数字１２２に対応する他の孔部１３２が設けられ、第２の回転盤１３には円盤体１２の第２の位置決め体１２３に対応する他の第２の位置決め体１３３が少なくとも一つ設けられる。
【００１６】
他の枢軸１４によって第２の回転盤１３および円盤体１２が第１の回転盤１１上に枢動可能に設置されて計数装置１が完成される（図３、４を参照）。使用者は一打ごとに第１の回転盤１１を回転させて第１の位置決め体１１３を円盤体１２および凸部１２５内側の他の第１の位置決め体１２５１上に嵌合し、数字１１２を孔部１２４から露出させて総打数の記録を行い、同時に第２の回転盤１３を回転させて他の第２の位置決め体１３３を円盤体１２の第２の位置決め体１２３上に嵌合することによって他の数字１２２を他の孔部１３２から露出させてパット数の記録を行うことができる。
【００１７】
図３、５、６に示すように、本発明の計数装置１は磁性体３によってネクタイピン４のロッド体４１上（図５を参照）またはピン５のロッド体５１上（図６を参照）に設置することができる。
【００１８】
図３、７に示すように、本発明の計数装置１はリベットによって手袋６上に設置することができる。計数装置１の設置方式には制限がなく、当該技術に熟知する者は本発明の範囲内において変更または修飾を行うことができ、それらは全て本発明に含まれる。
【００１９】
以上の説明から本発明は下記の長所を有する。
【００２０】
１．第１の回転盤１１、円盤体１２および第２の回転盤１３が設けられ、使用者は打球後に第１の回転盤１１を回転させ、第１の位置決め体１１３を円盤体１２および凸部１２５内側の他の第１の位置決め体１２５１上に嵌合することによって、数字１１２を孔部１２４から露出させて総打数を記録することができ、更に、第２の回転盤１３の他の第２の位置決め体１３３を円盤体１２の第２の位置決め体１２３上に嵌合することによって他の数字１２２を他の孔部１３２から露出させてパット数の記録を行うことができるので、打数を完全に記録でき、紙および鉛筆で記録する場合に発生する各欠点を解決でき、押圧式計数装置を使用した場合の各ホールの打数を表示できない欠点を解決できる。
【００２１】
２．本発明の計数装置１は使用者の必要に応じてネクタイピン４のロッド体４１上、ピン５のロッド体５１上または手袋６上に設置でき、体積が小さく、操作が簡単で壊れにくく、ボールマーカーとしても使用可能で、設置場所の選択性に優れ、複数の用途を有する。
【００２２】
上述の詳細な説明は本発明の実施例を示すものであり、本発明を制限するものではなく、本発明の主旨を逸脱しない範囲における修飾および変更は全て本発明に含まれる。
【図面の簡単な説明】
【００２３】
【図１】本発明の第１の実施例を示す立体分解図である。
【図２】本発明の第２の実施例を示す立体分解図である。
【図３】図２を組立てた後の状態を示す斜視図である。
【図４】図３の断面図である。
【図５】図２の計数装置をネクタイピン上に設置する状態を示す立体分解図である            。
【図６】図２の計数装置をピン上に設置した状態を示す断面図である。
【図７】図２の計数装置を手袋上に設置した状態を示す斜視図である。
【符号の説明】
【００２４】
１  計数装置
１１  第１の回転盤
１１１  枢軸
１１２  数字
１１３  第１の位置決め体
１１４  凹部
１２  円盤体
１２１  軸孔
１２２  他の数字
１２３  第２の位置決め体
１２４  孔部
１２５  凸部
１２５１  他の第１の位置決め体
１３  第２の回転盤
１３１  軸孔
１３２  他の孔部
１３３  他の第２の位置決め部
１４  他の枢軸
３  磁性体
４  ネクタイピン
４１  ロッド体
５  ピン
５１  ロッド体
６  手袋
【図１】
2008043753.tif 000003
【図２】
2008043753.tif 000004
【図３】
2008043753.tif 000005
【図４】
2008043753.tif 000006
【図５】
2008043753.tif 000007
【図６】
2008043753.tif 000008
【図７】
2008043753.tif 000009